(57)【特許請求の範囲】
【請求項１】
リーダマストと、リーダマストの一側に昇降可能に設けられた第一作業機と、リーダマストの他側に昇降可能に設けられた第二作業機と、リーダマストの一側に回転可能に設けられた上下の第一作業機用スプロケットと、リーダマストの他側に回転可能に設けられた上下の第二作業機用スプロケットと、リーダマストに設けられた単一のリフトシリンダと、リフトシリンダの可動側に回転可能に設けられた上昇用スプロケット及び下降用スプロケットと、上部第一作業機用スプロケットと上昇用スプロケットと上部第二作業機用スプロケットに掛渡されると共に両端が第一作業機と第二作業機に止結されて上昇用スプロケットの下降に依り各作業機を上昇させる上昇用チェーンと、下部第一作業機用スプロケットと下降用スプロケットと下部第二作業機用スプロケットに掛渡されると共に両端が第一作業機と第二作業機に止結されて下降用スプロケットの上昇に依り各作業機を下降させる下降用チェーンと、上昇用チェーンと下降用チェーンのうち第一作業機側のチェーンを固定し得る第一作業機側固定機構と、上昇用チェーンと下降用チェーンのうち第二作業機側のチェーンを固定し得る第二作業機側固定機構と、から構成した事を特徴とする両面リーダ装置。
【請求項２】
第一作業機は、オーガにされていると共に、第二作業機は、圧入機にされている請求項１に記載の両面リーダ装置。
【発明の詳細な説明】
【０００１】
【発明の属する技術分野】
本発明は、例えば地面を穿孔するオーガや杭を圧入する圧入機等の二つの作業機を備えた両面リーダ装置の改良に関する。
【０００２】
【従来の技術】
従来、この種の両面リーダ装置としては、例えば次の様なものが知られている。
これは、基本的には、リーダマストと、リーダマストの一側に昇降可能に設けられた第一作業機（オーガ）と、リーダマストの他側に昇降可能に設けられた第二作業機（圧入機）と、第一作業機を昇降させる第一作業機用昇降駆動機と、第二作業機を昇降させる第二作業機用昇降駆動機とから構成されている。
両昇降駆動機は、ウインチとワイヤを組み合わせたものやリフトシリンダとチェーン・スプロケット機構とを組み合わせたものが用いられている。
【０００３】
【発明が解決しようとする課題】
ところが、この様なものは、各作業機毎にウインチやリフトシリンダを備えた昇降駆動機が必要であったので、構造が複雑でコストが高く付く難点があった。本発明は、叙上の問題点に鑑み、これを解消する為に創案されたもので、その課題とする処は、構造を簡略化してコストの低減を図る事ができる両面リーダ装置を提供するにある。
【０００４】
【課題を解決するための手段】
本発明の両面リーダ装置は、基本的には、リーダマストと、リーダマストの一側に昇降可能に設けられた第一作業機と、リーダマストの他側に昇降可能に設けられた第二作業機と、リーダマストの一側に回転可能に設けられた上下の第一作業機用スプロケットと、リーダマストの他側に回転可能に設けられた上下の第二作業機用スプロケットと、リーダマストに設けられた単一のリフトシリンダと、リフトシリンダの可動側に回転可能に設けられた上昇用スプロケット及び下降用スプロケットと、上部第一作業機用スプロケットと上昇用スプロケットと上部第二作業機用スプロケットに掛渡されると共に両端が第一作業機と第二作業機に止結されて上昇用スプロケットの下降に依り各作業機を上昇させる上昇用チェーンと、下部第一作業機用スプロケットと下降用スプロケットと下部第二作業機用スプロケットに掛渡されると共に両端が第一作業機と第二作業機に止結されて下降用スプロケットの上昇に依り各作業機を下降させる下降用チェーンと、上昇用チェーンと下降用チェーンのうち第一作業機側のチェーンを固定し得る第一作業機側固定機構と、上昇用チェーンと下降用チェーンのうち第二作業機側のチェーンを固定し得る第二作業機側固定機構と、から構成した事に特徴が存する。
【０００５】
第二作業機側固定機構に依り第二作業機側のチェーンが固定された後、リフトシリンダが作動されて上昇用スプロケット及び下降用スプロケットが上昇又は下降されると、リーダマストに対して第一作業機が下降又は上昇される。
第一作業機側固定機構に依り第一作業機側のチェーンが固定された後、リフトシリンダが作動されて上昇用スプロケット及び下降用スプロケットが上昇又は下降されると、リーダマストに対して第二作業機が下降又は上昇される。
単一のリフトシリンダに依り二つの作業機を昇降させる事ができるので、コストが余り掛からない。
【０００６】
第一作業機は、オーガにされていると共に、第二作業機は、圧入機にされているの好ましい。この様にすれば、オーガに依る地面の穿孔作業と圧入機に依る杭の圧入作業を連続して行なう事ができ、作業能率の向上を図る事ができる。
【０００７】
【発明の実施の形態】
以下、本発明の実施の形態を、図面に基づいて説明する。
図１は、本発明の両面リーダ装置の概要構造を示す側面図。図２は、本発明の両面リーダ装置の外観を示す側面図である。
【０００８】
両面リーダ装置１は、リーダマスト２、第一作業機３、第二作業機４、第一作業機用スプロケット５，６、第二作業機用スプロケット７，８、リフトシリンダ９、上昇用スプロケット１０、下降用スプロケット１１、上昇用チェーン１２、下降用チェーン１３と、第一作業機側固定機構１４、第二作業機側固定機構１５とからその主要部が構成されて居り、ベースマシン５０に装着される。
ベースマシン５０は、車体５１と、これに回転可能に設けられて路面に対して走行させる左右の走行体（クローラ）５２と、車体５１に旋回可能に設けられた旋回体５３と、これに俯仰可能に設けられたブーム５４と、旋回体５３に対してブーム５４を俯仰させるブームシリンダ（図示せず）と、ブーム５４に俯仰可能に設けられたアーム５５と、ブーム５４に対してアーム５５を俯仰させるアームシリンダ５６等から成っている。
【０００９】
リーダマスト２は、両面リーダ装置１の基本部分を為すもので、この例では、縦長で上部がベースマシン５０のアーム５５の先端に横軸廻りに揺動可能に枢結されて居り、前側と後側には、夫々左右一対のガイドレール１６，１７が設けられている。
【００１０】
第一作業機３は、リーダマスト２の一側に昇降可能に設けられたもので、この例では、地面を穿孔するオーガにしてあり、リーダマスト２の前側のガイドレール１６に沿って昇降可能に設けられた昇降体１８と、これに上部が縦軸廻りに回転可能に支持されて垂下されたスクリュ１９と、昇降体１８に設けられてスクリュ１９を回転させる回転駆動装置２０とを備えている。
【００１１】
第二作業機４は、リーダマスト２の他側に昇降可能に設けられたもので、この例では、杭Ａを圧入する圧入機にしてあり、リーダマスト２の後側のガイドレール１７に沿って昇降可能に設けられた昇降体２１と、これに設けられてＨ型鋼やコンクリートパイルや矢板等の杭Ａを掴持する掴持装置２２とを備えている。
【００１２】
第一作業機用スプロケット５，６は、リーダマスト２の一側に回転可能に設けられた上下のもので、この例では、リーダマスト２の前側の上下に夫々横軸廻りに回転可能に設けられている。
【００１３】
第二作業機用スプロケット７，８は、リーダマスト２の他側に回転可能に設けられた上下のもので、この例では、リーダマスト２の後側の上下に夫々横軸廻りに回転可能に設けられている。
【００１４】
リフトシリンダ９は、リーダマスト２に設けられた単一のもので、この例では、ロッド側を上にして可動側にしてあると共にテール側を下にして固定側にしてあり、テール側がリーダマスト２の下部に固定されている。リフトシリンダ９は、そのストロークが第一作業機３と第二作業機４の昇降ストロークの略半分のものを用いている。
【００１５】
上昇用スプロケット１０及び下降用スプロケット１１は、リフトシリンダ９の可動側に回転可能に設けられたもので、この例では、リフトシリンダ９のロッド側に上昇用スプロケット１０が上になると共に下降用スプロケット１１が下になる様に上下に離間して夫々横軸廻りに回転可能に設けられている。
【００１６】
上昇用チェーン１２は、上部第一作業機用スプロケット５と上昇用スプロケット１０と上部第二作業機用スプロケット７に掛渡されると共に両端が第一作業機３と第二作業機４に止結されて上昇用スプロケット１０の下降に依り各作業機３，４を上昇させるもので、この例では、上部第一作業機用スプロケット５と上部第二作業機用スプロケット７には上から掛渡されていると共に、上昇用スプロケット１０には下から掛渡され、両端が第一作業機３の昇降体１８と第二作業機４の昇降体２１に止結されている。
【００１７】
下降用チェーン１３は、下部第一作業機用スプロケット６と下降用スプロケット１１と下部第二作業機用スプロケット８に掛渡されると共に両端が第一作業機３と第二作業機４に止結されて下降用スプロケット１１の上昇に依り各作業機３，４を下降させるもので、この例では、下部第一作業機用スプロケット６と下部第二作業機用スプロケット８には下から掛渡されると共に、下降用スプロケット１１には上から掛渡され、両端が第一作業機３の昇降体１８と第二作業機４の昇降体２１に止結されている。
【００１８】
第一作業機側固定機構１４は、上昇用チェーン１２と下降用チェーン１３のうち上昇用スプロケット１０と上部第一作業機用スプロケット５と下部第一作業機用スプロケット６と下降用スプロケット１１に掛渡された第一作業機側のチェーン２３を固定し得るもので、この例では、下部第一作業機用スプロケット６の近傍のリーダマスト２に設けられてこの付近の第一作業機側のチェーン２３の一部を固定し得るものにしてある。
【００１９】
第二作業機側固定機構１５は、上昇用チェーン１２と下降用チェーン１３のうち上昇用スプロケット１０と上部第二作業機用スプロケット７と下部第二作業機用スプロケット８と下降用スプロケット１１に掛渡された第二作業機側のチェーン２６を固定し得るもので、この例では、下部第二作業機用スプロケット８の近傍のリーダマスト２に設けられてこの付近の第二作業機側のチェーン２４の一部を固定し得るものにしてある。
【００２０】
第一作業機側固定機構１４と第二作業機側固定機構１５は、図略しているが、例えばチェーン２３，２４の各連結部分の空間つまり連結空間に手動に依り挿脱されるピンと、リーダマスト２に設けられてピンを支持してチェーン２３，２４の昇降を阻止するブラケットとから成り、チェーン２３，２４の連結空間にピンを挿入する事に依りチェーン２３，２４を固定すると共に、チェーン２３，２４の連結空間からピンを離脱する事に依りチェーン２３，２４の固定を解除するものにしてある。
【００２１】
次に、この様な構成に基づいてその作用を述解する。
第二作業機側固定機構１５に依り第二作業機側のチェーン２４が固定された後、リフトシリンダ９が伸長作動されて上昇用スプロケット１０及び下降用スプロケット１１が上昇されると、上昇用チェーン１２と下降用チェーン１３に依りリーダマスト２に対して第一作業機（オーガ）３が下降され、これに依り地面に穿孔する事ができる。その後、リフトシリンダ９が短縮作動されて上昇用スプロケット１０及び下降用スプロケット１１が下降されると、上昇用チェーン１２と下降用チェーン１３に依りリーダマスト２に対して第一作業機（オーガ）３が上昇される。この間、第二作業機側固定機構１５に依り第二作業機側のチェーン２４が固定されているので、第二作業機（圧入機）４が昇降される事なく不動状態に保たれる。
【００２２】
第一作業機側固定機構１４に依り第一作業機側のチェーン２３が固定された後、リフトシリンダ９が伸長作動されて上昇用スプロケット１０及び下降用スプロケット１１が上昇されると、上昇用チェーン１２と下降用チェーン１３に依りリーダマスト２に対して第二作業機（圧入機）４が下降され、これに依り杭Ａを圧入する事ができる。その後、リフトシリンダ９が短縮作動されて上昇用スプロケット１０及び下降用スプロケット１１が下降されると、上昇用チェーン１２と下降用チェーン１３に依りリーダマスト２に対して第二作業機（圧入機）４が上昇される。この間、第一作業機側固定機構１４に依り第一作業機側のチェーン２３が固定されているので、第一作業機（オーガ）３が昇降される事なく不動状態に保たれる。
【００２３】
単一のリフトシリンダ９に依り二つの作業機３，４を昇降させる事ができるので、コストが余り掛からない。
【００２４】
尚、第一作業機３と第二作業機４は、先の例では、オーガと圧入機であったが、これに限らず、例えば圧入機に代えて杭Ａを回転して埋没させる回転埋没機（オーガのスクリュに代えて杭を装着したもの）でも良い。
第一作業機３と第二作業機４は、先の例では、リーダマスト２の前後両側に設けたが、これに限らず、例えばリーダマスト２の左右両側に設けても良い。
上昇用スプロケット１０と下降用スプロケット１１は、先の例では、リフトシリンダ９のロッド側の上下に離間して設けたが、これに限らず、例えば左右に同軸状に設けても良い。
第一作業機側固定機構１４と第二作業機側固定機構１５は、先の例では、チェーン２３，２４の連結空間にピンを挿脱するものであったが、これに限らず、例えばチェーン２３，２４を掴持するものでも良い。
第一作業機側固定機構１４と第二作業機側固定機構１５は、先の例では、ピンを手動で挿脱するものであったが、これに限らず、例えばシリンダ等に依り動力的に挿脱するものでも良い。
【００２５】
【発明の効果】
以上、既述した如く、本発明に依れば、次の様な優れた効果を奏する事ができる。
（１）  リーダマスト、第一作業機、第二作業機、第一作業機用スプロケット、第二作業機用スプロケット、リフトシリンダ、上昇用スプロケット、下降用スプロケット、上昇用チェーン、下降用チェーン、第一作業機側固定機構、第二作業機側固定機構とで構成し、とりわけ単一のリフトシリンダとチェーン・スプロケット機構と固定機構とを設けて所謂第一作業機用昇降駆動機と第二作業機用昇降駆動機とを兼用する様にしたので、構造が簡略化できてコストの低減を図る事ができる。
【図面の簡単な説明】
【図１】本発明の両面リーダ装置の概要構造を示す側面図。
【図２】本発明の両面リーダ装置の外観を示す側面図。
【符号の説明】
１…両面リーダ装置、２…リーダマスト、３…第一作業機、４…第二作業機、５，６…第一作業機用スプロケット、７，８…第二作業機用スプロケット、９…リフトシリンダ、１０…上昇用スプロケット、１１…下降用スプロケット、１２…上昇用チェーン、１３…下降用チェーン、１４…第一作業機側固定機構、１５…第二作業機側固定機構、１６，１７…ガイドレール、１８，２１…昇降体、１９…スクリュ、２０…回転駆動装置、２２…掴持装置、２３…第一作業機側のチェーン、２４…第二作業機側のチェーン、５０…ベースマシン、５１…車体、５２…走行体、５３…旋回体、５４…ブーム、５５…アーム、５６…アームシリンダ、Ａ…杭。
【図１】
0003856947.tif 000002
【図２】
0003856947.tif 000003